(57)【特許請求の範囲】
【請求項１】
上面および底面を有し、前記上面と前記底面との間で還元剤を貯留する空間を構成する容器本体と、
前記還元剤との間で熱交換を行う熱交換器とを備え、
前記熱交換器は、前記上面を貫通して前記空間内に延びる貫通部と、前記貫通部に対して傾斜して前記底面側に延びる第１の傾斜部と、前記第１の傾斜部に対して前記貫通部の延びる方向の異なる位置で、前記貫通部に対して傾斜して前記底面側に延びる第２の傾斜部とを有する、還元剤タンク。
【請求項２】
前記第１の傾斜部の前記貫通部から離れる側の端部と、前記第２の傾斜部の前記貫通部から離れる側の端部とは、貫通部の延びる方向において互いに異なる位置に配置されている、請求項１に記載の還元剤タンク。
【請求項３】
前記熱交換器は、熱交換媒体を前記容器本体内に導く第１管路と、前記容器本体から熱交換媒体を流出させる第２管路とを有し、
前記第１管路は、前記第１の傾斜部を含み、
前記第２管路は、前記第２の傾斜部を含む、請求項１または２に記載の還元剤タンク。
【請求項４】
前記第１の傾斜部は、前記第２の傾斜部よりも前記上面の近くに配置されており、
前記容器本体に貯留された前記還元剤を吸い出す吸出管をさらに備え、
前記吸出管は、前記第１管路に沿って延びる部分を有している、請求項３に記載の還元剤タンク。
【請求項５】
前記第１の傾斜部の前記貫通部から離れる側の端部は、前記第２の傾斜部の前記貫通部に近い側の端部よりも、前記上面の近くに配置されている、請求項３または４に記載の還元剤タンク。
【請求項６】
前記貫通部の延びる方向において、前記第１の傾斜部と前記第２の傾斜部とは、互いに距離を隔てて配置されている、請求項１〜５のいずれか１項に記載の還元剤タンク。
【請求項７】
前記上面から前記底面へ向かって延びるセンサユニットをさらに備え、
前記第１の傾斜部と前記第２の傾斜部との少なくともいずれか一方は、前記貫通部から離れるに従って前記センサユニットに近づく、請求項１〜６のいずれか１項に記載の還元剤タンク。
【請求項８】
エンジンと、
前記エンジンからの排気ガスを還元反応により処理する排気処理装置と、
請求項１〜７のいずれか１項に記載の還元剤タンクと、
前記還元剤タンクから吸い出した前記還元剤を前記排気処理装置に導かれる前記排気ガスに対して噴射する還元剤噴射装置とを備える、作業車両。
【発明の詳細な説明】
【技術分野】
【０００１】
本発明は、還元剤タンクおよび作業車両に関する。
【背景技術】
【０００２】
油圧ショベル、ブルドーザ、ホイールローダなどの作業車両には、排気処理装置が搭載されている。排気処理装置としては、たとえばディーゼル微粒子捕集フィルター装置（ＤＰＦ）、ディーゼル酸化触媒装置（ＤＯＣ）、および選択還元触媒装置（ＳＣＲ）などが存在する。特に選択還元触媒装置は、排気ガス中の窒素酸化物を還元して排気ガスを浄化するものである。この排気処理に利用される還元剤は、還元剤タンクに貯留される。【０００３】
タンク内で還元剤が凍結すると、還元剤を排気処理装置に供給することができなくなる。このため、還元剤タンク内での還元剤の凍結を防ぐため、還元剤タンク内に熱交換器を配置し、還元剤を加熱する技術が提案されている。たとえば特開２０１０−７１２６３号公報（特許文献１）には、尿素水加熱用のエンジン冷却水を流通させる冷却水パイプが、タンク本体の上面の開口を閉塞する天蓋から下方に垂下されて、タンク本体の底部付近で屈曲して水平に延び、折り返し部に達するように構成された、尿素水タンクが開示されている。
【先行技術文献】
【特許文献】
【０００４】
【特許文献１】特開２０１０−７１２６３号公報
【発明の概要】
【発明が解決しようとする課題】
【０００５】
熱交換器は、還元剤への熱伝達効率を向上するために、還元剤タンク内における経路長を長くして、表面積を増大するのが望ましい。また、還元剤タンク内において、凍結した還元剤をむらなく解凍できることが望ましい。【０００６】
本発明は、上記の課題に鑑みてなされたものであり、その主たる目的は、還元剤への熱伝達効率を向上できるとともに、還元剤タンクの高さ方向において還元剤へむらなく熱伝達できる、還元剤タンクを提供することである。
【課題を解決するための手段】
【０００７】
本発明の還元剤タンクは、容器本体と、熱交換器とを備えている。容器本体は、上面および底面を有しており、上面と底面との間で還元剤を貯留する空間を構成している。熱交換器は、還元剤との間で熱交換を行う。熱交換器は、貫通部と、第１の傾斜部と、第２の傾斜部とを有している。貫通部は、容器本体の上面を貫通して空間内に延びている。第１の傾斜部は、貫通部に対して傾斜して底面側に延びている。第２の傾斜部は、貫通部の延びる方向において、第１の傾斜部と異なる位置で、貫通部に対して傾斜して底面側に延びている。【０００８】
なお、本明細書中では、還元剤および還元剤の前駆体を「還元剤」として総称するものとする。【０００９】
本発明の還元剤タンクによれば、第１および第２の傾斜部を設けることにより、熱交換器の経路長が長くなり、熱交換器の表面積が増大する。熱交換器から還元剤への伝熱面積を増大できることにより、還元剤への熱伝達効率を向上することができる。第１および第２の傾斜部を貫通部の延びる方向において異なる位置に配置することにより、第１の傾斜部が放熱する位置と、第２の傾斜部が放熱する位置とが、容器本体の高さ方向において異なることになる。したがって、還元剤タンクの高さ方向における還元剤への伝熱ムラを低減でき、還元剤タンクの高さ方向において還元剤へむらなく熱伝達することができる。【００１０】
上記の還元剤タンクにおいて、熱交換器は、熱交換媒体を容器本体内に導く第１管路と、容器本体から熱交換媒体を流出させる第２管路とを有している。第１管路は、第１の傾斜部を含んでいる。第２管路は、第２の傾斜部を含んでいる。このようにすれば、容器本体を平面視した場合においても、第１および第２の傾斜部が放熱する位置を異ならせることができ、還元剤への伝熱ムラをより効果的に低減することができる。【００１１】
上記の還元剤タンクにおいて、第１の傾斜部は、第２の傾斜部よりも上面の近くに配置されている。還元剤タンクは、容器本体に貯留された還元剤を吸い出す吸出管をさらに備えている。吸出管は、第１管路に沿って延びる部分を有している。第１の傾斜部を第２の傾斜部よりも上面の近くに配置することにより、吸出管を第１管路に長く沿わせることができるので、吸出管の解凍および吸出管の凍結防止に有利な還元剤タンクを実現することができる。【００１２】
上記の還元剤タンクにおいて、第１の傾斜部の貫通部から離れる側の端部は、第２の傾斜部の貫通部に近い側の端部よりも、上面の近くに配置されている。このようにすれば、還元剤タンクの高さ方向において第１および第２の傾斜部が重複しない配置にでき、第１および第２の傾斜部が放熱する位置をより離れた位置にすることができる。したがって、還元剤への伝熱ムラをより効果的に低減することができる。【００１３】
上記の還元剤タンクは、容器本体の上面から底面へ向かって延びるセンサユニットをさらに備えている。第１の傾斜部と第２の傾斜部との少なくともいずれか一方は、貫通部から離れるに従ってセンサユニットに近づく。このようにすれば、センサユニットおよびセンサユニットの周辺の還元剤に効率的に熱を伝達することができ、センサユニットによる還元剤の状態の検出精度を向上することができる。【００１４】
本発明の作業車両は、エンジンと、エンジンからの排気ガスを還元反応により処理する排気処理装置と、上記のいずれかの還元剤タンクと、還元剤タンクから吸い出した還元剤を排気処理装置に導かれる排気ガスに対して噴射する還元剤噴射装置とを備えている。これにより、還元剤への熱伝達効率を向上できるとともに、還元剤へむらなく熱伝達できる還元剤タンクを備えている作業車両を提供することができる。
【発明の効果】
【００１５】
以上説明したように本発明によれば、還元剤への熱伝達効率を向上することができ、還元剤タンクの高さ方向における還元剤への伝熱ムラを低減することができる。
【図面の簡単な説明】
【００１６】
【図１】本発明の一実施形態における作業車両の構成を示す概略斜視図である。
【図２】図１に示す作業車両において旋回フレーム上における還元剤タンクから排気処理ユニットまでの還元剤配管の経路を示す平面図である。
【図３】図１に示す作業車両における還元剤の経路、熱交換用の媒体の経路、およびエンジンからの排気ガスの排気経路を模式的に示す機能図である。
【図４】還元剤タンクの構成を概略的に示す斜視図である。
【図５】還元剤タンクの一部を破断して示す一部破断断面図である。
【図６】還元剤タンクの上面を下方から見た斜視図である。
【図７】還元剤タンクの内部の、熱交換器の先端付近を拡大して示す斜視図である。
【図８】熱交換器と、吸出管およびセンサユニットとの配置を示す斜視図である。
【図９】天蓋に支持された熱交換器を示す斜視図である。
【図１０】図９に示す天蓋および熱交換器の平面図である。
【図１１】図９に示す天蓋および熱交換器の側面図である。
【図１２】図９に示す天蓋および熱交換器の正面図である。
【図１３】第１管路および第２管路の配置の第１の例を示す模式図である。
【図１４】第１管路および第２管路の配置の第２の例を示す模式図である。
【図１５】第１管路および第２管路の配置の第３の例を示す模式図である。
【図１６】第１管路および第２管路の配置の第４の例を示す模式図である。
【図１７】第１管路および第２管路の配置の第５の例を示す模式図である。
【図１８】第１管路および第２管路の配置の第６の例を示す模式図である。
【発明を実施するための形態】
【００１７】
以下、本実施の形態について図に基づいて説明する。
まず、本発明の思想を適用可能な作業車両の一例である油圧ショベルの構成について図１を用いて説明するが、本発明はホイールローダ、ブルドーザなどの排気処理ユニットを含むエンジンユニットを備えた作業車両に適用可能である。
【００１８】
図１は、本発明の一実施形態における作業車両としての、油圧ショベル１の構成を示す概略斜視図である。図１を参照して、油圧ショベル１は、下部走行体２と、上部旋回体３と、作業機４とを主に備えている。下部走行体２と上部旋回体３とにより、作業車両本体が構成されている。
【００１９】
下部走行体２は、左右一対の履帯２ａを有している。下部走行体２は、一対の履帯２ａが回転することにより自走可能に構成されている。上部旋回体３は、下部走行体２に対して旋回自在に設置されている。
【００２０】
上部旋回体３は、前方側Ｆ（車両前側）の左側Ｌに、オペレータが油圧ショベル１を操作するための空間を構成するキャブ５を有している。上部旋回体３は、後方側Ｂ（車両後側）に、エンジンを収納するエンジンルーム６、およびカウンタウェイト７を有している。なお、本実施の形態では、オペレータがキャブ５内に着座した状態で、オペレータの前方側（正面側）を上部旋回体３の前方側Ｆとし、これと反対側、つまりオペレータの後方側を上部旋回体３の後方側とし、着座状態でのオペレータの左側を上部旋回体３の左側Ｌとし、オペレータの右側を上部旋回体３の右側Ｒとする。以降は、上部旋回体３の前後左右と作業車両の前後左右は一致しているとする。またオペレータの上下方向を図中矢印Ｚで示している。
【００２１】
上部旋回体３は、旋回フレーム９を有している。旋回フレーム９は、作業車両本体に含まれている。旋回フレーム９は、下部走行体２の上方に配置されており、下部走行体２に対して旋回自在に設けられている。作業機４、キャブ５およびカウンタウェイト７は、旋回フレーム９に搭載されており、旋回フレーム９の上面に配置されている。なお、油圧ショベル１は、上部旋回体３を下部走行体２に対して相対的に旋回させるための、図示しない旋回装置を備えている。旋回装置は、下部走行体２に支持された旋回モータ、旋回フレーム９に支持されたギアなどから構成されている。
【００２２】
土砂の掘削などの作業を行う作業機４は、上下方向Ｚに作動可能に、上部旋回体３により軸支されている。作業機４は、上部旋回体３の前方側Ｆの略中央部に上下方向Ｚに作動可能に取り付けられたブーム４ａと、ブーム４ａの先端部に前後方向Ｆ，Ｂに作動可能に取り付けられたアーム４ｂと、アーム４ｂの先端部に前後方向Ｆ，Ｂに作動可能に取り付けられたバケット４ｃとを有している。ブーム４ａ、アーム４ｂおよびバケット４ｃはそれぞれ、油圧シリンダ４ｄによって、駆動されるように構成されている。
【００２３】
作業機４は、キャブ５に対して右側Ｒに設けられている。作業機４は、上部旋回体３の前方側Ｆの左側Ｌに配置されたキャブ５に対し、キャブ５の一方の側部側である右側Ｒに設けられている。なお、キャブ５と作業機４との配置は図１に示す例に限られるものではなく、たとえば上部旋回体３の前方右側に配置されたキャブ５の左側に作業機４が設けられていてもよい。
【００２４】
エンジンルーム６は、カウンタウェイト７の前方側Ｆに隣接するように、旋回フレーム９の上方に設けられている。旋回フレーム９は、エンジンルーム６の床部分を形成している。エンジンルーム６は、エンジンフード８によって上側から覆われている。エンジンフード８は、エンジンルーム６の天井部分を形成している。カウンタウェイト７は、エンジンルーム６の後方側Ｂに配置されており、エンジンルーム６の後方側Ｂの壁を形成している。エンジンフード８から上方へ、エンジンから排出された排気ガスを油圧ショベル１の車外に排出する排気筒１５が突き出ている。
【００２５】
カウンタウェイト７は、掘削作業などにおいて油圧ショベル１の車体バランスを保持するために、旋回フレーム９の後端部に設けられている。カウンタウェイト７は、旋回フレーム９上におけるエンジンルーム６の後方側Ｂに設けられている。カウンタウェイト７は、たとえば、鋼板を組み立てて形成した箱の中に屑鉄およびコンクリートなどを入れて固めることにより形成されている。カウンタウェイト７の後面は、油圧ショベル１の後方側Ｂの表面を構成しており、滑らかに湾曲した形状を有している。
【００２６】
次に、本実施の形態の作業車両における還元剤タンクから排気処理ユニットまでの還元剤配管の経路について図２を用いて説明する。図２は、図１に示す作業車両（油圧ショベル）１において旋回フレーム９上における還元剤タンクから排気処理ユニットまでの還元剤配管の経路を示す平面図である。図２を参照して、油圧ショベル１は、下部走行体２および作業機４を駆動するための動力源であるエンジン１０を備えている。エンジン１０は、旋回フレーム９上に搭載されている。エンジン１０は、旋回フレーム９のうち左右方向の中央側のセンタフレームの、後部に搭載されている。エンジン１０は、エンジンルーム６内に収容されている。
【００２７】
油圧ショベル１は、エンジンルーム６内に、エンジン１０から排出される排気ガスを処理して浄化するための排気処理ユニットを備えている。排気処理ユニットは、エンジン１０の上方に配置されており、排気処理装置１２，１４と、中継接続管１３と、排気筒１５と、還元剤の噴射ノズル２８を主に備えている。排気処理装置１２は、後述する排気管１１（図３）によりエンジン１０と接続されている。排気処理装置１４は、中継接続管１３により排気処理装置１２と接続されている。エンジン１０から排出される排気ガスは、排気処理装置１２，１４を順に通過して、排気筒１５から大気中に排出される。エンジン１０からの排気ガスの排出の流れに対して、排気処理装置１２はエンジン１０の下流側に配置されており、排気処理装置１４は排気処理装置１２の下流側に配置されている。
【００２８】
排気処理装置１２は、エンジン１０から排出される排気ガス中の粒子状物質を捕集して、排気ガス中の粒子状物質の濃度を低下させる。排気処理装置１２は、たとえばディーゼル微粒子捕集フィルター装置である。排気処理装置１４は、還元剤との反応によって排気ガス中に含まれている窒素酸化物を還元し、窒素酸化物を無害な窒素ガスに化学変化して、排気ガス中の窒素酸化物濃度を低下させる。排気処理装置１４は、たとえば選択触媒還元式の脱硝装置である。中継接続管１３には、中継接続管１３内に還元剤を噴射するための噴射ノズル２８が設けられている。中継接続管１３は、排気ガスに還元剤を噴射し混合するミキシング配管としての機能を有している。
【００２９】
油圧ショベル１はまた、排気処理ユニットへ還元剤を供給するための、還元剤供給部を備えている。還元剤供給部は、還元剤タンク２０、および還元剤ポンプ２２を備えている。還元剤タンク２０および還元剤ポンプ２２は、旋回フレーム９のうち、右側Ｒのサイドフレーム上に搭載されている。還元剤ポンプ２２は、エンジンルーム６に対して前方側Ｆに配置されている。還元剤タンク２０は、還元剤ポンプ２２よりも前方側Ｆに配置されている。還元剤タンク２０は、排気処理装置１４で使用される還元剤を貯留する。還元剤としては、たとえば尿素水が好適に用いられるが、これに限られるものではない。
【００３０】
還元剤タンク２０と還元剤ポンプ２２とは、送り配管２１および戻し配管２３によって、互いに連結されている。送り配管２１は、還元剤タンク２０から還元剤ポンプ２２へ還元剤を送出するための配管である。戻し配管２３は、還元剤ポンプ２２から還元剤タンク２０へ還元剤を戻すための配管である。還元剤ポンプ２２と噴射ノズル２８とは、圧送配管２５によって、互いに連結されている。圧送配管２５は、還元剤ポンプ２２から噴射ノズル２８に還元剤を移送するための配管である。
【００３１】
還元剤タンク２０から送り配管２１を経由して還元剤ポンプ２２へ移送されてきた還元剤は、還元剤ポンプ２２において二分岐する。排気処理に使用されない還元剤は、還元剤ポンプ２２から戻し配管２３を経由して、還元剤タンク２０へ戻される。排気処理に使用される還元剤は、還元剤ポンプ２２から圧送配管２５を経由して、噴射ノズル２８へ到達し、噴射ノズル２８から中継接続管１３内へ噴霧される。
【００３２】
エンジン１０からの排気ガスは、中継接続管１３を経由して排気処理装置１４へ流入する。中継接続管１３は、排気ガスの流れにおいて、排気処理装置１４の上流側に設けられている。還元剤タンク２０から吸い出された還元剤は、中継接続管１３に取り付けられた噴射ノズル２８を経由して、中継接続管１３内を流れる排気ガス中に噴射される。還元剤は、排気処理装置１４に対し排気ガスの流れの上流側に噴射される。排気ガス中に噴射される還元剤の量は、排気処理装置１４を通過する排気ガスの温度、および排気ガス中の窒素酸化物の濃度に基づいて、制御されている。
【００３３】
次に、本実施の形態の作業車両における熱交換用の媒体の経路と還元剤の経路とについて図３を用いて説明する。図３は、本実施の形態の作業車両における還元剤の経路、熱交換用の媒体の経路、およびエンジンからの排気ガスの排気経路を模式的に示す機能図である。図３に示すように、エンジン１０から排出された排気ガスは、排気管１１、排気処理装置１２、中継接続管１３、排気処理装置１４を順に経て排気筒１５から車外に排気される。排気処理装置１４に対して排気ガスの流れの上流側の中継接続管１３に、噴射ノズル２８が設けられている。
【００３４】
還元剤タンク２０は、還元剤９０を貯留するための容器本体３３を有している。容器本体３３の内部には、還元剤タンク２０から流出する還元剤９０が流れる吸出管７０が配置されている。吸出管７０は、送り配管２１に連結されている。還元剤タンク２０から吸い出された還元剤９０は、還元剤ポンプ２２によって移送され、送り配管２１および圧送配管２５を順に経由して、噴射ノズル２８へ到達する。排気処理に使用されない還元剤９０は、還元剤ポンプ２２から戻し配管２３を経由して、還元剤タンク２０へ戻される。
【００３５】
噴射ノズル２８は、還元剤タンク２０から吸い出した還元剤９０を排気処理装置１４に対し排気ガスの上流側に噴射する、還元剤噴射装置としての機能を有している。噴射ノズル２８により、中継接続管１３内を流れる排気ガス中に還元剤９０が供給される。排気処理装置１４において、排気ガス中に含有される窒素酸化物が還元剤９０と反応することにより、排気ガス中の窒素酸化物の濃度が減少する。還元剤９０が尿素水である場合、中継接続管１３内において尿素水は分解してアンモニアへと変化し、窒素酸化物とアンモニアとの反応によって窒素酸化物は無害な窒素および酸素に分解される。窒素酸化物の量が適正値に低下した排気ガスは、排気筒１５から排出される。
【００３６】
還元剤タンク２０の内部には、還元剤９０との間で熱交換する媒体（熱交換媒体）が流れる熱交換器４０が配置されている。熱交換媒体としては、エンジン１０の冷却水が用いられている。熱交換器４０は、熱交換媒体を還元剤タンク２０内に導く第１管路５０と、還元剤タンク２０から熱交換媒体を流出させる第２管路６０とを有している。第１管路５０は、冷却水配管１７に連結されている。第２管路６０は、冷却水配管１８に連結されている。冷却水配管１８には、ラジエータ１６と、冷却水ポンプ１９とが設けられている。
【００３７】
冷却水ポンプ１９の駆動によって、エンジン１０の冷却水は、エンジン１０、熱交換器４０、ラジエータ１６、および冷却水ポンプ１９を、循環して流れる。エンジン１０で加熱された冷却水は、熱交換器４０において還元剤９０と熱交換することにより、冷却される。他方、還元剤９０は、冷却水から熱を受けることにより、加熱される。ラジエータ１６は、冷却水と空気との熱交換を行い、冷却水を冷却するための熱交換器である。ラジエータ１６において冷却された冷却水がエンジン１０のウォータジャケットに流れることにより、エンジン１０は適切に冷却される。
【００３８】
以下、還元剤タンク２０の構成について詳細に説明する。図４は、本発明の一実施の形態における還元剤タンク２０の構成を概略的に示す斜視図である。還元剤タンク２０は、図４に示すように、中空の容器本体３３を有している。容器本体３３は、略矩形箱状の外形を有している。容器本体３３は、上面３４、側面３５ａ，３５ｃおよび図４には図示しない側面３５ｂ，３５ｄ、ならびに図４には図示しない底面３６により、構成されている。容器本体３３は、上面３４と底面３６との間で、還元剤を貯留する空間を構成している。容器本体３３は、ポリエチレンなどの耐食性に優れる樹脂材料により、一体に成形されている。
【００３９】
容器本体３３の上面３４には、還元剤を補充するための補充口３７と、図４には図示しない後述する開口３１（図６）とが形成されている。開口３１は、円板状の天蓋３０によって閉塞されている。開口３１の周囲には、ボルト３２を締結するための有底のボルト穴が複数形成されている。天蓋３０の外周部には、天蓋３０を厚み方向に貫通する複数の貫通孔が形成されている。天蓋３０は、締結部材としてのボルト３２により、容器本体３３に着脱可能に取り付けられている。上面３４と天蓋３０との間にはＯリングなどのシール部材が設けられており、これにより、天蓋３０を上面３４に固定した状態で開口３１は液密に封止されている。天蓋３０は、たとえば、剛性に優れる金属材料によって成形されている。
【００４０】
天蓋３０には、貫通部５１，６１が取り付けられている。貫通部５１，６１は、還元剤との間で熱交換する熱交換器の一部を構成している。貫通部５１には、容器本体３３内に流入する媒体が流れる。貫通部６１には、容器本体３３から流出する媒体が流れる。
【００４１】
天蓋３０には、還元剤が容器本体３３から流出する流出口７１と、容器本体３３へ戻される還元剤が流れる戻り口７９とが取り付けられている。図２，３に示す送り配管２１の端部は、流出口７１に連結されている。図２，３に示す戻し配管２３の端部は、戻り口７９に連結されている。
【００４２】
天蓋３０には、取付シート８１がボルトにより着脱可能に締結されている。取付シート８１は、容器本体３３内の還元剤の水位、還元剤の濃度、および還元剤の温度を計測するセンサの基部８６を支持している。基部８６から突出するように、ハーネス８７が設けられている。ハーネス８７の先端に、コネクタ８８が設けられている。計測された還元剤の水位、濃度および温度の値は、ハーネス８７およびコネクタ８８を経由して、図示しないコントローラへ出力される。
【００４３】
天蓋３０には、空気抜き穴９１と、ブリーザ９２とが取り付けられている。補充口３７から容器本体３３に還元剤が補充されるとき、容器本体３３内に存在していた空気は、空気抜き穴９１を経由して、容器本体３３の外へ流出する。ブリーザ９２は、容器本体３３内の空気圧を自動的に一定に保つために設けられている。気温の変化のために容器本体３３内の空気が膨張または収縮するとき、ブリーザ９２を経由して空気が排出または吸入され、これにより容器本体３３内の圧力が一定に保持される。
【００４４】
図５は、図４に示す還元剤タンクの一部を破断して示す一部破断断面図である。図５を参照して、容器本体３３は、側面３５ａに対向する側面３５ｂ、図４に示す側面３５ｃに対向する側面３５ｄ、および上面３４に対向する底面３６を有している。側面３５ａと側面３５ｂとは、略平行に設けられている。側面３５ｃと側面３５ｄとは、略平行に設けられている。上面３４と底面３６とは、略平行に設けられている。
【００４５】
図６は、還元剤タンク２０の上面３４を下方から見た斜視図である。図６を参照して、還元剤タンク２０の容器本体３３の上面３４には、上面３４を貫通する開口３１が形成されている。開口３１は、円形に形成されている。上述した天蓋３０は、開口３１を上方から覆い、開口３１を塞いでいる。開口３１の径は、開口３１を塞ぐ天蓋３０の径よりも、小さい。天蓋３０に固定された貫通部５１，６１は、容器本体３３の上面３４を貫通して、容器本体３３の上面３４から底面３６に向かう方向に延びている。貫通部５１，６１は、上面３４および底面３６に直交する方向に延びている。貫通部５１，６１は、円板状の天蓋３０に直交する方向に延びている。
【００４６】
図７は、還元剤タンク２０の内部の、熱交換器４０の先端付近を拡大して示す斜視図である。図８は、熱交換器４０と、吸出管７０およびセンサユニット８０との配置を示す斜視図である。図５〜８を適宜参照して、還元剤タンク２０のうち、容器本体３３の内部に配置されている構成について、説明する。
【００４７】
還元剤タンク２０の容器本体３３の内部には、還元剤との間で熱交換する媒体が流れる熱交換器４０が配置されている。熱交換器４０の構造の詳細については、後述する。
【００４８】
容器本体３３の内部には、容器本体３３に貯留された還元剤９０を吸い出す吸出管７０（図６）が配置されている。吸出管７０は、天蓋３０に取り付けられた流出口７１を有している。吸出管７０はまた、上方垂延部７２と、傾斜部７３と、下方垂延部７４とを有している。上方垂延部７２は、流出口７１と同一直線上に、天蓋３０から垂れ下がるように延びている。傾斜部７３は、上方垂延部７２の下端に接続されており、上方垂延部７２に対して傾斜して天蓋３０から離れる側に延びている。下方垂延部７４は、傾斜部７３の下端に接続されており、上方垂延部７２と平行に延びている。
【００４９】
上方垂延部７２および下方垂延部７４は、容器本体３３の側面３５ａ〜３５ｄに平行に延びており、容器本体３３の上面３４および底面３６に対して垂直に延びている。傾斜部７３は、容器本体３３の上面３４、側面３５ａ〜３５ｄおよび底面３６に対して傾斜する方向に延びている。
【００５０】
吸出管７０はまた、延伸部７５（図１２参照）と、ストレーナ（濾過器）７６とを有している。延伸部７５は、下方垂延部７４の下端に接続されており、容器本体３３の底面３６に沿って、側面３５ａに向かって延びている。ストレーナ７６は、吸出管７０の先端部分を形成している。容器本体３３内に貯留された還元剤が、ストレーナ７６を経由して吸出管７０内に流入する。ストレーナ７６は、容器本体３３内の不純物を濾し取り、不純物が吸出管７０内に流入するのを防止するために設けられている。図５に示されるように、容器本体３３内の還元剤の量が少なくなっても、吸出管７０から還元剤を吸い出せるように、ストレーナ７６は容器本体３３の底面３６近くに配置されている。
【００５１】
容器本体３３の底面３６上に、支持板７７が載せ置かれている。支持板７７から、容器本体３３の上面３４に向かって、板状支持部７８が突起している。板状支持部７８の先端付近において、ストレーナ７６は板状支持部７８にボルトを用いて固定されている。ストレーナ７６は、支持板７７および板状支持部７８を介して容器本体３３の底面３６に支持されている。これにより、吸出管７０の剛性が向上している。
【００５２】
容器本体３３の内部には、センサユニット８０が配置されている。センサユニット８０は、ハーネス８２と、水位計８３と、濃度および温度計８５とを有している。ハーネス８２および水位計８３は、ホルダ８４によって、天蓋３０の下面に取り付けられている。ハーネス８２および水位計８３は、天蓋３０から垂れ下がるように、容器本体３３の底面３６に向かって延びている。ハーネス８２および水位計８３の下端に、濃度および温度計８５が取り付けられている。
【００５３】
水位計８３は、その内部にフロートを有している。フロートは、還元剤の液面に位置している。当該フロートの高さ位置情報に基づいて、容器本体３３の内部の還元剤の水位が検出される。濃度および温度計８５は、還元剤の濃度および温度を計測する。計測された還元剤の水位、濃度および温度の値に係る信号は、ハーネス８２を経由して図４，５に示す基部８６に伝達され、さらにハーネス８７およびコネクタ８８を経由して、図示しないコントローラへ出力される。
【００５４】
センサユニット８０は、クランプ部１２０を介して、伝熱プレート１１０に支持されている。これにより、センサユニット８０の剛性が向上している。伝熱プレート１１０の詳細は後述する。
【００５５】
図９は、天蓋３０に支持された熱交換器４０を示す斜視図である。図１０は、図９に示す天蓋３０および熱交換器４０の平面図である。図１１は、図９に示す天蓋３０および熱交換器４０の側面図である。図１２は、図９に示す天蓋３０および熱交換器４０の正面図である。図９〜１２および図５〜８を適宜参照して、還元剤との間で熱交換を行う熱交換器４０の構造について説明する。
【００５６】
熱交換器４０は、垂下部４１と、並行部４４と、先端屈曲部４５とを有している。垂下部４１は、熱交換器４０のうち、容器本体３３の上面３３から底面３６へ向かって延びる部分である。並行部４４は、熱交換器４０のうち、垂下部４１の下端に接合されており、容器本体３３の底面３６に沿って水平に延びる部分である。先端屈曲部４５は、並行部４４の先端に接合されている。先端屈曲部４５は、並行部４４に対して屈曲しており、容器本体３３の側面３５ａに沿って上方に延びている。先端屈曲部４５は、熱交換器４０の先端部分を形成している。
【００５７】
垂下部４１、並行部４４および先端屈曲部４５は、略Ｕ字形状の管材を曲げ加工することにより、一体に形成されている。または、垂下部４１、並行部４４および先端屈曲部４５の各々を構成する管材をたとえば溶接により継ぎ合わせることによって、熱交換器４０を形成しても構わない。
【００５８】
熱交換器４０を別の観点から見ると、熱交換器４０は、熱交換媒体を容器本体３３内に導く第１管路５０（図９）と、容器本体３３から熱交換媒体を流出させる第２管路６０と、折り返し部５９とを有している。第１管路５０と第２管路６０とは、折り返し部５９を介して、互いに連通している。
【００５９】
第１管路５０は、貫通部５１と、傾斜部５２と、下方垂延部５３と、延伸部５４と、立上り部５５とを有している。貫通部５１は、容器本体３３の上面３４を貫通して、容器本体３３の内部の空間内に延びている。傾斜部５２は、貫通部５１の下端に接続されている。傾斜部５２は、貫通部５１に対して傾斜して底面３６側に延びる、第１の傾斜部として設けられている。下方垂延部５３は、傾斜部５２の下端に接続されており、貫通部５１と平行に延びている。
【００６０】
貫通部５１および下方垂延部５３は、容器本体３３の側面３５ａ〜３５ｄに平行に延びており、容器本体３３の上面３４および底面３６に対して垂直に延びている。傾斜部５２は、容器本体３３の上面３４、側面３５ａ〜３５ｄおよび底面３６に対して傾斜する方向に延びている。
【００６１】
延伸部５４は、下方垂延部５３の下端に接合されており、容器本体３３の底面３６に沿って、容器本体３３の側面３５ａに向かって延びている。立上り部５５は、延伸部５４の先端に接合されており、容器本体３３の側面３５ａに沿って、容器本体３３の上面３４に向かって延びている。
【００６２】
容器本体３３の上面３４から底面３６へ向かって延びる垂下部４１は、第１管路５０のうち、貫通部５１、傾斜部５２および下方垂延部５３を含んで構成されている。第１管路５０に含まれる垂下部４１に２箇所の屈曲が形成され、この屈曲によって傾斜部５２が形成されている。並行部４４は、第１管路５０のうち、延伸部５４を含んで構成されている。先端屈曲部４５は、第１管路５０のうち、立上り部５５を含んで構成されている。
【００６３】
第２管路６０は、貫通部６１と、傾斜部６２と、下方垂延部６３と、延伸部６４と、立上り部６５とを有している。貫通部６１は、容器本体３３の上面３４を貫通して、容器本体３３の内部の空間内に延びている。傾斜部６２は、貫通部６１の下端に接続されている。傾斜部６２は、貫通部６１に対して傾斜して底面３６側に延びる、第２の傾斜部として設けられている。下方垂延部６３は、傾斜部６２の下端に接続されており、貫通部６１と平行に延びている。
【００６４】
貫通部６１および下方垂延部６３は、容器本体３３の側面３５ａ〜３５ｄに平行に延びており、容器本体３３の上面３４および底面３６に対して垂直に延びている。傾斜部６２は、容器本体３３の上面３４、側面３５ａ〜３５ｄおよび底面３６に対して傾斜する方向に延びている。
【００６５】
延伸部６４は、下方垂延部６３の下端に接合されており、容器本体３３の底面３６に沿って、容器本体３３の側面３５ａに向かって延びている。立上り部６５は、延伸部６４の先端に接合されており、容器本体３３の側面３５ａに沿って、容器本体３３の上面３４に向かって延びている。
【００６６】
容器本体３３の上面３４から底面３６へ向かって延びる垂下部４１は、第２管路６０のうち、貫通部６１、傾斜部６２および下方垂延部６３を含んで構成されている。第２管路６０に含まれる垂下部４１に２箇所の屈曲が形成され、この屈曲によって傾斜部６２が形成されている。並行部４４は、第２管路６０のうち、延伸部６４を含んで構成されている。先端屈曲部４５は、第２管路６０のうち、立上り部６５を含んで構成されている。
【００６７】
貫通部５１，６１および下方垂延部５３，６３は、各々、互いに平行に配置されている。延伸部５４，６４は、互いに平行に配置されている。延伸部５４，６４は、下方垂延部５３，６３に対して直交する方向に延びている。
【００６８】
先端屈曲部４５は、第１管路５０の立上り部５５、第２管路６０の立上り部６５、および第１管路５０と第２管路６０とを連通する折り返し部５９によって、形成されている。先端屈曲部４５のうち容器本体３３の上面３４に最も近い点における熱交換器４０の延びる方向に直交し、当該最も近い点を含む断面が、折り返し部５９を形成している。先端屈曲部４５のうち容器本体３３の上面３４に最も近い点を含み、容器本体３３の側面３５ｃ，３５ｄに平行な熱交換器４０の断面が、折り返し部５９を形成している。先端屈曲部４５は、逆Ｕ字形状に形成されている。
【００６９】
垂下部４１において、第１管路５０および第２管路６０間の距離は、略一定とされている。並行部４４において、第１管路５０および第２管路６０間の距離は、略一定とされている。先端屈曲部４５において、第１管路５０および第２管路６０間の距離は、折り返し部５９に近づくに従って、小さくなっている。
【００７０】
図８に示されるように、第１管路５０に含まれている傾斜部５２と、第２管路６０に含まれている傾斜部６２とは、それぞれ、貫通部５１，６１から離れるに従ってセンサユニット８０に近づくように、貫通部５１，６１に対して傾斜している。センサユニット８０は、第１管路５０の下方垂延部５３と、第２管路６０の下方垂延部６３との間の位置に配置されている。センサユニット８０およびセンサユニット８０の周辺の還元剤に対して、より効率よい熱伝達が行われるように、熱交換器４０は、センサユニット８０に接近して配置されている。
【００７１】
還元剤が流れる吸出管７０の傾斜部７３（図６）は、上方垂延部７２から離れるに従って第１管路５０に近づくように、上方垂延部７２に対して傾斜している。吸出管７０の下方垂延部７４は、第１管路５０の下方垂延部５３と平行に配置されており、第１管路５０の下方垂延部５３に沿って延びている。第１管路５０の下方垂延部５３と吸出管７０の下方垂延部７４間との間隔は、最小化されている。たとえば下方垂延部５３，７４間の距離を、第１管路５０を形成する配管の外径以下としてもよい。吸出管７０および吸出管７０の周辺の還元剤に対して、より効率よい熱伝達が行われるように、熱交換器４０は、吸出管７０に接近して配置されている。
【００７２】
吸出管７０の先端のストレーナ７６は、熱交換器４０の垂下部４１および先端屈曲部４５によって側方の二方向を覆われ、並行部４４によって下方を覆われるように、配置されている。ストレーナ７６の周辺に熱交換器４０を配置することで、ストレーナ７６の近傍の還元剤への熱伝達が優先的に行われ、還元剤が凍結した場合にストレーナ７６の近傍の還元剤を優先して解凍できる構成とされている。
【００７３】
第１管路５０の貫通部５１の長さは、第２管路６０の貫通部６１の長さよりも小さい。第１管路５０の傾斜部５２と、第２管路６０の傾斜部６２とは、互いに略平行に配置されている。第１管路５０の傾斜部５２は、第２管路６０の傾斜部６２よりも、容器本体３３の上面３４の近くに配置されている。第２管路６０の傾斜部６２は、貫通部５１，６１の延びる方向において、第１管路５０の傾斜部５２と異なる位置に配置されている。
【００７４】
熱交換器４０の垂下部４１は、開口３１を閉塞する天蓋３０に取り付けられており、天蓋３０から吊り下げられている。天蓋３０の厚み方向に見た場合に、垂下部４１は、開口３１を形成する円の内側に配置されている。傾斜部５２，６２は、貫通部５１，６１の延びる方向に沿う開口３１の投影に相当する領域内で、貫通部５１，６１に対して傾斜している。これにより、天蓋３０を容器本体３３の上面３４から取り外して、天蓋３０を上面３４に直交する方向（図１０に示す紙面垂直方向）に持ち上げることにより、開口３１を経由して垂下部４１を容器本体３３の外部へ取り出すことが可能とされている。
【００７５】
図１２に示すように、第１管路５０の傾斜部５２の、貫通部５１から離れる側の端部５２ａは、第２管路６０の傾斜部６２の、貫通部６１に近い側の端部６２ｂよりも、容器本体３３の上面３４の近くに配置されている。貫通部５１，６１の延びる方向において、第１管路５０の傾斜部５２と第２管路６０の傾斜部６２とは、互いに距離を隔てて配置されている。
【００７６】
図９に示すように、第１管路５０と第２管路６０との両方に亘って、伝熱プレート１１０が設けられている。伝熱プレート１１０は、平板形状の第１の平板部１１１と、平板形状の第２の平板部１１２とを有している。伝熱プレート１１０は、第１の平板部１１１と第２の平板部１１２とを繋ぐ屈曲部１１３を有している。伝熱プレート１１０は、一枚の平板が屈曲加工されて形成されている。
【００７７】
伝熱プレート１１０は、貫通部５１，６１の延びる方向における、第１管路５０の傾斜部５２と第２管路６０の傾斜部６２との間に設けられている。第１の平板部１１１は、傾斜部５２よりも容器本体３３の上面３４から離れる側の、下方垂延部５３に、たとえば溶接により固定されている。第２の平板部１１２は、傾斜部６２よりも容器本体３３の上面３４に近い側の、貫通部６１に、たとえば溶接により固定されている。伝熱プレート１１０は、第１管路５０および第２管路６０の両方に固定されている。
【００７８】
第１の平板部１１１の下端部には、クランプ部１２０（図８）が取り付けられている。クランプ部１２０は、センサユニット８０のうち、ハーネス８２および水位計８３の周囲を囲い、センサユニット８０を支持している。熱交換器４０、伝熱プレート１１０およびセンサユニット８０によって、立体的な支持構造が形成されており、これにより、熱交換器４０およびセンサユニット８０の剛性が向上している。
【００７９】
次に、本実施の形態の作用効果について説明する。
本実施の形態の還元剤タンク２０によれば、図６に示すように、熱交換器４０は、容器本体３３の上面３４を貫通して容器本体３３の内部空間に延びる貫通部５１，６１を有している。図９および図１２に示すように、熱交換器４０は、貫通部５１，６１に対して傾斜して底面３６側に延びる傾斜部５２と、貫通部５１，６１の延びる方向において、傾斜部５２と異なる位置で貫通部５１，６１に対して傾斜して底面３６側に延びる傾斜部６２と、を有している。
【００８０】
還元剤の温度が低くなった場合、熱交換器４０の内部には、エンジン１０で加熱された冷却水が循環して流れる。熱交換器４０の内部を流れる冷却水は、容器本体３３内に貯留された還元剤よりも、温度が高い。そのため、熱交換器４０から還元剤への放熱が行われる。傾斜部５２，６２を設けることにより、熱交換器４０の経路長が長くなり、熱交換器４０の表面積が増大する。熱交換器４０から還元剤への伝熱面積を増大できることにより、還元剤への熱伝達効率を向上することができる。
【００８１】
傾斜部５２，６２を貫通部５１，６１の延びる方向において異なる位置に配置することにより、傾斜部５２が放熱する位置と、傾斜部６２が放熱する位置とが、還元剤タンク２０の容器本体３３の高さ方向において異なることになる。したがって、還元剤タンク２０の高さ方向における還元剤への伝熱ムラを低減でき、還元剤タンク２０の高さ方向において還元剤へむらなく熱伝達することができる。
【００８２】
また熱交換器４０は、第１管路５０と、第２管路６０とを有している。図３に示すように、第１管路５０は、エンジン１０の冷却水を容器本体３３内に導く経路である。第２管路６０は、エンジン１０の冷却水を容器本体３３から流出させる経路である。図９に示すように、傾斜部５２は第１管路５０に含まれており、傾斜部６２は第２管路６０に含まれている。このようにすれば、容器本体３３を平面視した場合においても、傾斜部５２，６２が放熱する位置を、異ならせることができる。これにより、還元剤への伝熱ムラをより効果的に低減することができる。
【００８３】
また図９に示すように、傾斜部５２は、傾斜部６２よりも容器本体３３の上面３４の近くに配置されている。傾斜部５２には、容器本体３３内に流入した直後の冷却水が流れ、傾斜部６２には、第１管路５０から下方垂延部６３までの経路を経由して流れた後の冷却水が流れるので、傾斜部５２を流れる冷却水の温度の方が傾斜部６２を流れる冷却水の温度よりも高い。より高温の冷却水が流れる傾斜部５２から還元剤への放熱が行われることにより、開口３１の近くの還元剤を効率的に加熱することができる。
【００８４】
また図１２に示すように、傾斜部５２の貫通部５１から離れる側の端部５２ａは、傾斜部６２の貫通部６１に近い側の端部６２ｂよりも、容器本体３３の上面３４の近くに配置されている。このようにすれば、還元剤タンク２０の高さ方向において傾斜部５２，６２が重複しない配置にでき、傾斜部５２が放熱する位置と、傾斜部６２が放熱する位置とを、より離れた位置にすることができる。したがって、還元剤への伝熱ムラをより効果的に低減することができる。
【００８５】
また図８，１１に示すように、還元剤タンク２０は、容器本体３３に貯留された還元剤を吸い出す吸出管７０をさらに備えている。吸出管７０は、第１管路５０に沿って延びる部分を有している。このようにすれば、吸出管７０内を流れる還元剤を効率的に加熱できるので、吸出管７０内における還元剤の凍結をより確実に抑制することができる。傾斜部５２を傾斜部６２よりも容器本体３３の上面３４の近くに配置することにより、吸出管７０を第１管路５０に長く沿わせることができるので、吸出管７０の解凍および吸出管７０の凍結防止に有利な還元剤タンク２０を実現することができる。
【００８６】
第１管路５０に含まれている傾斜部５２の、貫通部５１に対する傾斜方向は、貫通部５１から離れるに従って吸出管７０に近づく方向である。傾斜部５２は、貫通部５１から離れるに従って吸出管７０に近づくように、貫通部５１に対して傾斜している。このように第１管路５０を傾斜させることにより、第１管路５０の下方垂延部５３を吸出管７０の下方垂延部７４に沿わせて配置することが可能になる。吸出管７０の近くに第１管路５０を配置することで、吸出管７０および吸出管７０の周辺の還元剤に対して、効率よく熱伝達を行うことができる。
【００８７】
また図８に示すように、還元剤タンク２０は、容器本体３３の上面３４から底面３６へ向かって延びるセンサユニット８０をさらに備えている。傾斜部５２，６２は、貫通部５１，６１から離れるに従って、センサユニット８０に近づいている。
【００８８】
熱交換器４０とセンサユニット８０とは、いずれも天蓋３０に取り付けられ、天蓋３０の位置において間隔を空けて配置されている。容器本体３３の内部において熱交換器４０を屈曲させ、傾斜部５２，６２をセンサユニット８０に近づけるように配置すれば、傾斜部５２，６２よりも下方の下方垂延部５３，６３はセンサユニット８０に沿って延びるように配置されることになる。これにより、センサユニット８０およびセンサユニット８０の周辺の還元剤に効率的に熱を伝達することができ、還元剤の凍結がセンサユニット８０の検出精度を悪化させる不具合を回避できる。したがって、センサユニット８０による還元剤の状態の検出精度を向上することができる。
【００８９】
図２，３を参照して、本実施の形態の作業車両としての油圧ショベル１は、エンジン１０と、エンジン１０からの排気ガスを還元反応により処理する排気処理装置１４と、上記の還元剤タンク２０と、還元剤タンク２０から吸い出した還元剤を排気処理装置１４に導かれる排気ガスに対して噴射する噴射ノズル２８とを備えている。これにより、還元剤への熱伝達効率を向上できるとともに、還元剤へむらなく熱伝達できる還元剤タンク２０を備えている油圧ショベル１を提供することができる。
【００９０】
図１３〜１８は、第１管路５０および第２管路６０の配置の例を示す模式図である。図１３〜１８に示すように、第１管路５０の傾斜部５２は、貫通部５１から離れる側の端部５２ａと、貫通部５１に近い側の端部５２ｂとを有している。第２管路６０の傾斜部６２は、貫通部６１から離れる側の端部６２ａと、貫通部６１に近い側の端部６２ｂとを有している。貫通部５１，６１は、容器本体３３の開口３１から下方に延びるように配置されている。
【００９１】
これまでの実施の形態の説明においては、図１３に示すように、傾斜部５２の貫通部５１から離れる側の端部５２ａが、傾斜部６２の貫通部６１に近い側の端部６２ｂよりも、容器本体３３の上面３４の近くに配置されている例について説明した。本実施の形態の傾斜部５２，６２は、このような配置に限られるものではない。つまり、傾斜部５２，６２は、貫通部５１，６１の延びる方向において互いに異なる位置に配置されていればよい。
【００９２】
傾斜部５２，６２が互いに異なる位置である場合には、図１４〜１７に示される態様も含まれる。詳細には、傾斜部５２，６２が互いに異なる位置である場合とは、図１４に示す、端部５２ａ，６２ａが開口３１から同じ距離だけ離れているが、端部５２ｂ，６２ｂの各々と開口３１との距離が異なっており、端部６２ｂが端部５２ｂよりも開口３１から離れている場合を含む。また、図１５に示す、端部５２ｂ，６２ｂが開口３１から同じ距離だけ離れているが、端部５２ａ，６２ａの各々と開口３１との距離が異なっており、端部６２ａが端部５２ａよりも開口３１から離れている場合を含む。また、図１６に示す、端部６２ｂが端部５２ｂよりも開口３１から離れており、端部５２ａが端部６２ｂよりも開口３１から離れており、端部６２ａが端部５２ａよりも開口３１から離れている場合を含む。また、図１７に示す、端部６２ｂが端部５２ｂよりも開口３１から離れており、端部５２ａが端部６２ａよりも開口３１から離れている場合を含む。
【００９３】
傾斜部５２，６２は、図１３のように、貫通部５１，６１の延びる方向において、傾斜部５２，６２が重複しない位置に配置されていてもよい。また、図１４〜１６に示すように、貫通部５１，６１の延びる方向において、傾斜部５２，６２は、その一部が互いに重複する位置に配置されていてもよい。または図１７に示すように、傾斜部５２，６２の一方の全部が他方に重複するように、傾斜部５２，６２が配置されていてもよい。
【００９４】
傾斜部５２が傾斜部６２よりも容器本体３３の上面３４に近い配置とは、図１３に示す傾斜部５２の全部が傾斜部６２よりも上面３４に近く配置されている場合と、図１４〜１６に示す傾斜部５２の一部が傾斜部６２よりも上面３４に近く配置されている場合との両方を含む概念であり、傾斜部５２の一部が傾斜部６２と重複していることは許容されると理解すべきである。
【００９５】
貫通部５１，６１に対する傾斜部５２，６２の傾斜角度は、図１３，１６に示すように、互いに等しくてもよい。または、図１４，１５，１７に示すように、貫通部５１に対する傾斜部５２の傾斜角度が、貫通部６１に対する傾斜部６２の傾斜角度と異なっていてもよい。
【００９６】
また、これまでの説明においては、第１管路５０と第２管路６０との両方に傾斜部が設けられている例について説明したが、このような構成に限られるものではない。図１８に示すように、第１管路５０を４箇所以上屈曲させて複数の傾斜部を設ける一方、第２管路６０は傾斜部を設けず直管形状である構成としてもよい。図１８に示す構成に替えて、第１管路５０を直管形状として第２管路６０に複数の傾斜部を設けてもよいことは勿論である。つまり、第１管路５０と第２管路６０とのいずれかに、貫通部の延びる方向における位置の異なる２つの傾斜部が形成されていればよい。
【００９７】
以上の説明は、以下に記載する特徴を含む。
（特徴１）
上面および底面を有し、前記上面と前記底面との間で還元剤を貯留する空間を構成する容器本体と、
前記還元剤との間で熱交換を行う熱交換器とを備え、
前記熱交換器は、熱交換媒体を前記容器本体内に導く第１管路と、前記容器本体から熱交換媒体を流出させる第２管路とを含み、
前記第１管路と前記第２管路との少なくともいずれか一方は、前記上面を貫通して前記空間内に延びる貫通部と、前記貫通部に対して傾斜して前記底面側に延びる傾斜部とを有し、
さらに、前記第１管路と前記第２管路との両方に亘って設けられた伝熱プレートを備える、還元剤タンク。
【００９８】
このようにすれば、伝熱プレートは、第１管路および第２管路からの伝熱を受けて加熱される。熱交換器から還元剤への放熱に加えて、伝熱プレートから還元剤への放熱が行われる。傾斜部を設けることにより、第１管路と第２管路との距離が増大しており、第１管路と第２管路との間隔が増大した位置に伝熱プレートを配置することにより、より表面積の大きい伝熱プレートが設けられる。伝熱プレートから還元剤への伝熱面積を増大できることにより、還元剤への熱伝達効率を向上することができる。
【００９９】
（特徴２）
前記第１管路は、前記上面を貫通して延びる第１の貫通部と、前記第１の貫通部に対して傾斜して前記底面側に延びる第１の傾斜部とを有し、
前記第２管路は、前記上面を貫通して延びる第２の貫通部と、前記第２の貫通部の延びる方向において、前記第１の傾斜部と異なる位置で前記第２の貫通部に対して傾斜して前記底面側に延びる第２の傾斜部とを有し、
前記伝熱プレートは、前記第１の貫通部および前記第２の貫通部の延びる方向における、前記第１の傾斜部と前記第２の傾斜部との間に設けられている、特徴１に記載の還元剤タンク。
【０１００】
このようにすれば、第１の傾斜部と第２の傾斜部との間の、第１管路と第２管路との間隔が広い位置に、伝熱プレートを設けることになる。そのため、伝熱プレートの表面積をより増大できる。伝熱プレートから還元剤への伝熱面積を増大できることにより、還元剤への熱伝達効率をより向上することができる。
【０１０１】
（特徴３）
前記伝熱プレートは、前記第１管路および前記第２管路の両方に固定されている、特徴１または２に記載の還元剤タンク。
【０１０２】
伝熱プレートを、たとえば溶接によって第１管路と第２管路との両方に固定することにより、立体的な支持構造を形成することができ、熱交換器の剛性を向上することができる。作業車両の動作環境では、還元剤タンクに伝わる振動が大きいため、剛性の高い熱交換器を備えている還元剤タンクは、還元剤タンクを作業車両に搭載される場合において、特に有利に適用され得る。
【０１０３】
（特徴４）
前記伝熱プレートは、第１管路に係合する第１の平板部と、第２管路に係合する第２の平板部と、第１の平板部および第２の平板部を繋ぐ屈曲部とを有している、特徴１〜３のいずれかに記載の還元剤タンク。
【０１０４】
このようにすれば、伝熱プレートの表面積を増大でき、伝熱プレートから還元剤への伝熱面積を増大できるので、還元剤への熱伝達効率をさらに向上することができる。加えて、伝熱プレートを屈曲した板形状に形成することにより、伝熱プレートの剛性が向上するため、熱交換器の剛性のさらなる向上が可能になる。
【０１０５】
今回開示された実施の形態はすべての点で例示であって制限的なものではないと考えられるべきである。本発明の範囲は上記した説明ではなく、請求の範囲によって示され、請求の範囲と均等の意味および範囲内でのすべての変更が含まれることが意図される。
【符号の説明】
【０１０６】
１  油圧ショベル、４  作業機、６  エンジンルーム、１０  エンジン、１１  排気管、１２，１４  排気処理装置、１３  中継接続管、１５  排気筒、２０  還元剤タンク、２１  送り配管、２２  還元剤ポンプ、２３  戻し配管、２５  圧送配管、２８  噴射ノズル、３０  天蓋、３１  開口、３２  ボルト、３３  容器本体、３４  上面、３５ａ〜３５ｄ  側面、３６  底面、４０  熱交換器、４１  垂下部、４４  並行部、４５  先端屈曲部、５０  第１管路、５１，６１  貫通部、５２，６２，７３  傾斜部、５２ａ，５２ｂ，６２ａ，６２ｂ  端部、５３，６３，７４  下方垂延部、５４，６４，７５  延伸部、５５，６５  立上り部、５９  折り返し部、６０  第２管路、７０  吸出管、７１  流出口、７２  上方垂延部、７６  ストレーナ、７９  戻り口、８０  センサユニット、８２，８７  ハーネス、８３  水位計、８５  濃度および温度計、９０  還元剤、１１０  伝熱プレート、１１１  第１の平板部、１１２  第２の平板部、１１３  屈曲部、１２０  クランプ部。
【要約】
還元剤への熱伝達効率を向上できるとともに、還元剤タンクの高さ方向において還元剤へむらなく熱伝達できる、還元剤タンクを提供する。還元剤タンクは、上面および底面を有し、上面と底面との間で還元剤を貯留する空間を構成する容器本体と、還元剤との間で熱交換を行う熱交換器（４０）とを備えている。熱交換器（４０）は、貫通部（５１，６１）と、傾斜部（５２）と、傾斜部（６２）とを有している。貫通部（５１，６１）は、容器本体の上面を貫通して空間内に延びている。傾斜部（５２）は、貫通部（５１，６１）に対して傾斜して底面側に延びている。傾斜部（６２）は、貫通部（５１，６１）の延びる方向において、傾斜部（５２）と異なる位置で、貫通部（５１，６１）に対して傾斜して底面側に延びている。【図１】
0005659317.tif 000002
【図２】
0005659317.tif 000003
【図３】
0005659317.tif 000004
【図４】
0005659317.tif 000005
【図５】
0005659317.tif 000006
【図６】
0005659317.tif 000007
【図７】
0005659317.tif 000008
【図８】
0005659317.tif 000009
【図９】
0005659317.tif 000010
【図１０】
0005659317.tif 000011
【図１１】
0005659317.tif 000012
【図１２】
0005659317.tif 000013
【図１３】
0005659317.tif 000014
【図１４】
0005659317.tif 000015
【図１５】
0005659317.tif 000016
【図１６】
0005659317.tif 000017
【図１７】
0005659317.tif 000018
【図１８】
0005659317.tif 000019